(57)【特許請求の範囲】
【請求項１】
電線端末に接続した端子を車体に固定するアース用固定材を高導電性樹脂で一体成形しており、
上記アース用固定材は、挿入された上記端子に接触係止する弾性係止片を内部に設けているボックス部と、該ボックス部の外面より突設した軸部と、該軸部の先端より折り返し状に設けた係止羽根部とを備え、
電線端末に接続した端子を上記ボックス部に挿入係止し、上記係止羽根部を車体の係止穴に挿入係止することで、電線端末の端子が上記アース用固定材を介して車体にアース接続されることを特徴としている電線のアース接続構造。
【請求項２】
上記電線端末に接続する端子はオス端子で、上記アース用固定材のボックス内の弾性係止片は、上記オス端子の電気接触部とバレル部の間の段部に係止する構成としている請求項１に記載の電線のアース接続構造。
【請求項３】
上記アース用固定材のボックス内には、複数の電線に接続された端子が並列状態に係止できる複数の端子収納室を設けている請求項１または請求項２に記載の電線のアース接続構造。
【発明の詳細な説明】
【０００１】
【発明の属する技術分野】
本発明は電線のアース接続構造に関し、特に、自動車に配索する電線を車体にアース接続するものである。
【０００２】
【従来の技術】
従来、この種の自動車に配線する電線は車体にアース接続されており、図７に示すように、電線ｗの端末にアース端子１を圧着接続しておく一方、車体２の所定位置にボルト固定穴２ａを設け、車体２の裏面にはボルト固定穴２ａに沿ってナット３が固着されている。上記アース端子１は、円環形状の電気接触１ａの丸穴１ｂをボルト固定穴２ａに一致させ、ボルト４を丸穴１ｂ、ボルト固定穴２ａを通してナット３にネジ締めして固定し、アース端子１を車体２に圧接させてアース接続している。
【０００３】
【発明が解決しようとする課題】
上記構造とした場合、アース端子１は、車体裏面にナットが固定されているボルト固定穴にのみしかボルトを介して固定することができない。よって、アース接続位置を変更する場合には、車体側にナット付きのボルト固定穴を予め形成しておく必要があり、アース接続位置の変更を容易にできない問題がある。
また、ボルトをナットにネジ締めするために、締め付け作業が必要となり、アース接続箇所が多数であるため、この作業に時間がかかる問題もある。
【０００４】
本発明は、上記問題に鑑みてなされたもので、アース接続作業性を高めると共に、アース接続位置の変更を容易にできるようにすることを課題としている。
【０００５】
【課題を解決するための手段】
上記課題を解決するため、本発明は、電線端末に接続した端子を車体に固定するアース用固定材を高導電性樹脂で一体成形しており、
上記アース用固定材は、挿入された上記端子に接触係止する弾性係止片を内部に設けているボックス部と、該ボックス部の外面より突設した軸部と、該軸部の先端より折り返し状に設けた係止羽根部とを備え、
電線端末に接続した端子を上記ボックス部に挿入係止し、上記係止羽根部を車体の係止穴に挿入係止することで、電線端末の端子が上記アース用固定材を介して車体にアース接続されることを特徴としている電線のアース接続構造を提供している。
【０００６】
上記のように、本発明では、従来用いられているボルトに代えて、高導電性樹脂からなるボックス部と係止羽根部を備えたアース用固定材を設け、該アース用固定材を用いることにより、ボックス部内にアース端子を挿入して接触係止し、係止羽根部を車体の穴に通すだけで、アース端子を車体に固定することができる。よって、車体側にナットを固定したボルト固定穴を設ける必要はなく、単なる穴にアース端子を接続固定することができる。その結果、車体にはアース固定穴にナットを取り付けておく必要はない。また、車体にはワイヤハーネスに取り付けたクランプを係止する穴が多数設けられているため、該クランプ係止穴を利用することにより、アース接続位置の変更も容易に行うことができる。
さらに、アース端子を車体に固定するために、従来はボルトとナットの２部材が必要であったが、本発明ではアース用固定材の１部材のみとなり、部品点数を減少できるため、コスト低減も図ることができる。
【０００７】
上記電線端末に接続する端子はオス端子で、上記アース用固定材のボックス内の弾性係止片は、上記オス端子の電気接触部とバレル部の間の段部に係止する構成としている。
【０００８】
上記のように、弾性係止片をオス端子の段部に接触係止することにより、アース用固定材からの端子の抜け外れを防止してアース接続の確実性を高めることができる。なお、オス端子に係止穴を設けて、該係止穴に弾性係止片を係止させてもよい。このように弾性係止片を設けているため、単にオス端子をアース用固定材のボックス部内に挿入するだけで、該オス端子の係合孔の位置で弾性係止片が復元し係合孔に係止するため、オス端子とアース用固定材との移動不可な接続を容易に行うことができる。
【０００９】
上記アース用固定材のボックス内には、複数の電線に接続された端子が並列状態に係止できる複数の端子収納室を設けていることが好ましい。該構成とすると、複数の電線の車体アース接続を１つのアース用固定材を用いて行うことができ、車体側に設ける係止穴も１つで良くなり、複数の電線の車体アース接続作業を１度で行うことができる。
【００１０】
上記アース用固定材の素材となる高導電性樹脂は、特開平１０−２３７３３１号、特開平１１−３４２５２２号に開示されているように、熱可塑性樹脂中で、銅、ニッケル、鉄等からなる金属繊維を混入させたものと、鉛フリーハンダ（低融点半田）とＣｕ粉などの低融点合金を分散させた導電性樹脂組成物からなる。
【００１１】
導電性の金属繊維が配合される熱可塑性樹脂としては、プロピレン、ポリエチレン、ポリスチレン、アクリロニトリル・ブタジエン・スチレン樹脂、変性ポリフェニレンオキサイド樹脂、ポリブチレンテレフタレート樹脂、ポリエチレンテレフタレート樹脂、ポリアミド樹脂、芳香族ポリアミド樹脂、ポリフェニレンサルファイド樹脂、液晶ポリマー、ポリエーテルイミド、ポリベンゾイミダゾール、ポリエーテルエーテルケトン、ポリエーテルサルフォン等の樹脂を単独あるいはブレンドして用いることが可能であり、特にアクリロニトリル・ブタジエン・スチレン樹脂、ポリブチレンテレフタレート樹脂が好適に用いられる。
【００１２】
上記熱可塑性樹脂に混同して分散させると共にネットワーク状に接合させる低融点合金は、融点が１００℃以上、好ましくは２００℃以上で、射出成形物に溶融する合金を使用され、Ｓｎ−Ｐｂ系、Ｓｎ−Ａｇ−Ｐｂ系、Ｓｎ−Ｂｉ系、Ｓｎ−Ｂｉ−Ｉｎ系、Ｂｉ−Ｐｂ系、Ｂｉ−Ｓｎ系、Ｓｎ−Ｃｕ系、Ｓｎ−Ｃｕ−Ｎｉ−Ｐ系、Ｓｎ−Ａｇ系、Ｓｎ−Ｂｉ−Ｐｂ系、Ｓｎ−Ｉｎ系のものが挙げられる。
【００１３】
【発明の実施の形態】
本発明の実施形態を図面を参照して説明する。
前述した高導電性樹脂で一体成形したアース用固定材１０を、ボルトに代えて、電線ｗの端末に接続したオス端子１と車体２との固定に用いている。
【００１４】
上記アース用固定材１０は、オス端子１の細幅平板形状の電気接触部１ａが挿入される一端開口のボックス部１１を備え、該ボックス部１１の先端寄りの外面より車体係止用の軸部１２が突出し、該軸部１２の先端の互いに対向する位置から折り返し状に突設した２枚の係止羽根部１３を設けている。上記ボックス部１１の内周面には、底壁１１ｂの略中央部より弾性係止片（ランス）１１ｄを先端壁１１ｃ方向に傾斜させて突設し、該弾性係止片１１ｄが、挿入されたオス端子１の電気接触部１ａとバレル部１ｂとの間の段部１ｃに係止する構成としている。
【００１５】
次に、電線ｗの端末に接続したオス端子１を上記アース用固定材１０を用いて車体２に固定する作業手順を図２（Ａ）（Ｂ）（Ｃ）を用いて説明する。
まず、図２（Ａ）に示すように、ボックス部１１内へオス端子１の電気接触部１ａを開口部１１ａから挿入する。このとき、ボックス部１１内の弾性係止片１１ｄは先端壁１１ｃ方向に押し倒されるが、オス端子１の段部１ｃが通過すると、図２（Ｂ）に示すように、弾性係止片１１ｄが復元して段部１ｃに係止する。
【００１６】
自動車への電線配線時に、オス端子１を挿入係止したアース用固定材１０の係止羽根部１３を、図２(Ｂ)に示すように、車体２の係止穴２０に圧入して軸部１２まで挿入すると、図２（Ｃ）に示すように、係止穴２０を貫通した係止羽根部１３が復元して開き、係止穴２０の周縁に係止羽根部先端の係止段部１４が係止穴２０の周縁に係止され、アース用固定材１０は車体２と固定される。
【００１７】
上記構成によると、高導電性樹脂で形成されたアース用固定材１０がオス端子１と接触されていると共に車体２とも接触されるため、電線ｗの端末に接続したオス端子１は車体２と導通してアース接続を図ることができる。
【００１８】
また、アース用固定材１０への車体への取付は、係止羽根部１３を係止穴２０に圧入後、該係止羽根部１３が復元して穴に係止するため、従来の金属性ボルトと異なり、係止穴２０の裏面にナットを固着しておく必要がない。従って、部品点数を減少させることができるとともに、車体の係止穴を裏面のナットを固着していない穴とすることができる。よって、車体に多数あけられているクランプ係止用の穴を利用して係止することができ、接続位置の変更に対しても、クランプ係止穴を利用して容易に対応することができる。
【００１９】
また、アース用固定材１０とオス端子１とは、オス端子１を単にボックス部１１内に挿入するだけで、弾性係止片１１ｄの復元によって係合孔１ｂで接触係止し移動不可に固定することができ、アース用固定材１０と車体２とは、係止羽根部１３を係止穴２０に圧入することによって、係止羽根部１３が復元して係止穴２０の周縁に係止され、いずれもワンタッチ作業ですむため、全体としても単純な二作業で済み、ねじ締め作業も不要となるため、作業性が大幅に向上する。
【００２０】
図３及び図４は本発明の第２実施形態を示し、二箇所に係止羽根部１３ａ’、１３ｂ’を備えたアース用固定材１０’による電線のアース接続構造を示している。
【００２１】
上記アース用固定材１０’は、図３に示すように、軸部１２の先端外周に折り返し状に突設した先端係止羽根部１３ａ’と、先端より間隔をあけた中間部外周より突設した中間係止羽根部１３ｂ’との計２箇所の係止羽根部１３’を設けている。その他の点では上記第１実施形態と同様である。
【００２２】
上記構成のアース用固定材１０’を用いてオス端子１を車体２に固定すると、薄い板厚の車体に固定するときは、図４（Ａ）に示すように、基板部１１’からの寸法の小さい中間係止羽根部１３ｂで車体２に係止し、厚い板厚の車体に固定するときは、図４（Ｂ）に示すように先端係止羽根部１３ａ’を係止して固定することができる。このように、車体の板厚が変わっても２段階調節で対応できるため、適した係止羽根部を選択することにより、アース用固定材１０’と車体２との接続確実性を高めることができると共に、アース用固定材の汎用性を高めてコスト低減を図ることができる。
【００２３】
図５および図６は本発明に係る第３実施形態を示し、アース用固定材に多数本の電線を係止できるようにしている。本実施形態では、４本の電線ｗに接続された４個のオス端子１をアース用固定材１０”を介して車体２にアース接続している。
【００２４】
上記アース用固定材１０”のボックス部１１”は、仕切り壁１１０ｅで仕切られ並設された４つの端子収納室１１０からなる。各端子収納室１１０は、オス端子１を挿入する開口部１１０ａを同じ側に設けている。各端子収容室１１０の内面には底壁１１０ｂより弾性係止片１１０ｄを突設している。
【００２５】
上記アース用固定材１０”を利用すると、図６（Ａ）（Ｂ）に示すように、複数の電線ｗに接続された複数のオス端子１をそれぞれワンタッチ作業で一つのアース用固定材１０”に並列状態に接続することができる。車体への固定は、該アース用固定材１０”の一つの係止羽根部１３”を一つの係止穴２０に圧入することによって、ワンタッチ取付することができる。従って、複数の電線のアース接続を、１箇所の係止穴を利用して単純作業で行うことができ、作業性が大幅に向上する。また、車体に設ける係止穴も１つでよくなる。
【００２６】
【発明の効果】
以上の説明より明らかなように、本発明によれば、高導電性樹脂で形成されたアース用固定材を用い、該アース用固定材のボックス部に電線端末の端子を挿入係止して、該アース用固定材に突設した係止羽根部を車体の係止穴に挿入すると、アース用固定材を介して端子の車体アース接続を簡単に行うことができる。
また、従来のボルトとナットによる車体への固定と異なり、車体係止穴の裏面へのナットの固着が不要となり、部品点数が減少してコスト低減を図ることができる。また、ねじ締め作業が不要となり、いずれもワンタッチ作業からなる単純な二作業でアース接続が可能となるため、作業性が大幅に向上する。
【００２７】
さらに、一つのアース用固定材に複数の電線に接続された端子を並列状態に係止することができるため、複数の電線を１つのアース用固定材を用いて、車体に一つの係止穴にアース接続することができる。
【図面の簡単な説明】
【図１】  本発明の第1実施形態に係る接続構造を示す分解斜視図である。
【図２】  （Ａ）（Ｂ）（Ｃ）は図１に示すアース用固定材でアース端子を車体に固定する作業を示す工程断面図である。
【図３】  本発明の第２実施形態に係るアース用固定材を示す斜視図である。
【図４】  （Ａ）（Ｂ）は図３に示すアース用固定材でアース端子を車体に固定した状態を示す断面図である。
【図５】  本発明の第３実施形態に係るアース用固定材を示し、（Ａ）は全体斜視図、（Ｂ）は開口部側からの側面図、（Ｃ）はＣ−Ｃ線断面図である。
【図６】  図５に示すアース用固定材を用いてアース端子を車体に固定した状態を示す図面であり、（Ａ）は全体斜視図、（Ｂ）は要部断面図である。
【図７】  従来例を示す分解斜視図である。
【符号の説明】
１  アース端子
１ｂ  係合孔
２  車体
１０、１０’、１０”  アース用固定材
１１、１１’、１１”  ボックス部
１１ｄ、１１０ｄ  弾性係止片
１１０  端子収納室
１２、１２’、１２”  軸部
１３、１３”  係止羽根部
１３ａ’  先端係止羽根部
１３ｂ’  中間係止羽根部
１４  係止段部
２０  係止穴
【図１】
0003654148.tif 000002
【図２】
0003654148.tif 000003
【図３】
0003654148.tif 000004
【図４】
0003654148.tif 000005
【図５】
0003654148.tif 000006
【図６】
0003654148.tif 000007
【図７】
0003654148.tif 000008